(57)【要約】【課題】本発明は、光コネクタの製造効率を向上させることができる技術を提供する。【解決手段】光コネクタ１０は、光ケーブル１５の端部においてシース１４の外周にカシメリング２３を圧着する圧着工程と、光ファイバー１３の先端にフェルール１６を固定する固定工程と、フェルール１６とカシメリング２３とを係止部２９によって係止する係止工程と、フェルール１６が内部に配されるフード部１１を有すると共に開口部２１を有するアッパーハウジング１７の開口部２１の内部に、フェルール１６とカシメリング２３とが係止部２９によって係止された状態でフェルール１６及びカシメリング２３を組み付けて、フェルール１６をフード部１１内の仮位置に保持する組み付け工程と、フェルール１６とカシメリング２３との間の係止を解除してフェルール１６をフード部１１内の正規位置に保持させる解除工程と、を実行することにより製造される。【選択図】図３
2014056135.tif 000002
【特許請求の範囲】
【請求項１】
光ファイバーの外周を包囲するシースを備えた光ケーブルの端部において前記シースの外周にカシメリングを圧着する圧着工程と、
前記光ケーブルの前記端部から突出する前記光ファイバーの先端にフェルールを固定する固定工程と、
前記フェルールと前記カシメリングとを係止部によって係止する係止工程と、
前記フェルールが内部に配されるフード部を有すると共に開口部を有する第１コネクタハウジングの前記開口部の内部に、前記フェルールと前記カシメリングとが前記係止部によって係止された状態で前記フェルール及び前記カシメリングを組み付けて、前記フェルールを前記フード部内の仮位置に保持する組み付け工程と、
前記フェルールと前記カシメリングとの間の係止を解除して前記フェルールを前記フード部内の正規位置に保持させる解除工程と、を実行する光コネクタの製造方法。
【請求項２】
前記開口部を塞ぐ第２コネクタハウジングは、前記フェルールと前記カシメリングとの間の係止を解除する解除部を備え、前記第１コネクタハウジングに前記第２コネクタハウジングを組み付けて前記開口部を塞ぐ閉止工程を実行する際に、前記解除工程を実行する請求項１に記載の光コネクタの製造方法。
【請求項３】
前記フェルールは、付勢部材によって前記仮位置から前記正規位置へ向かう方向に付勢されており、前記解除工程を実行すると、前記フェルールは前記付勢部材によって前記仮位置から前記正規位置に移動する請求項１または請求項２に記載の光コネクタの製造方法。
【請求項４】
光ファイバーの外周を包囲するシースを備えた光ケーブルの端部から突出する前記光ファイバーの先端に固定されたフェルールと、
前記シースの外周に圧着されたカシメリングと、
前記フェルールと前記カシメリングとを係止する係止部と、を備えたフェルールとカシメリングとの係止構造。
【請求項５】
前記係止部は前記カシメリングから前記フェルールに延びて形成されており、前記係止部の前記フェルール側の端部には前記フェルールと係合する係合部が形成されており、
前記フェルールには前記係合部に対応する位置に被係合部が形成されている請求項４に記載のフェルールとカシメリングとの係止構造。
【請求項６】
請求項４または請求項５に記載されたフェルールとカシメリングとの係止構造が収容された開口部を備えた第１コネクタハウジングと、前記第１コネクタハウジングに組み付けられて前記開口部を塞ぐ第２コネクタハウジングと、を備え、
前記第２コネクタハウジングには、前記第１コネクタハウジングに組み付けた状態で前記フェルールと前記カシメリングとの間の係止を解除する解除部が形成されている光コネクタ。
【請求項７】
前記第１コネクタハウジングには前記解除部によって前記フェルールと前記カシメリングとの係止が解除された状態の前記係止部が収容される退避部が形成されている請求項６に記載の光コネクタ。
【発明の詳細な説明】
【技術分野】
【０００１】
本発明は、光ファイバーの先端に取り付けられるフェルールとこのフェルールに係止されるカシメリングとの係止構造、フェルールとカシメリングとを備えた光コネクタ、及び光コネクタの製造方法に関する。
【背景技術】
【０００２】
従来、光コネクタとして特許文献１に記載のものが知られている。この光コネクタは、相手側コネクタが嵌合されるフード部を備えたコネクタハウジングの内部に、光ケーブルの端部から突出する光ファイバーの先端に固定されたフェルールを収容してなる。フェルールは、フード部内に配される前軸部と、前軸部から後方に延びる後軸部と、前軸部と後軸部との境界部分においてフェルールの径方向の外方に突出するフランジ部と、を備える。
【０００３】
後軸部にはコイルばねが外嵌されている。前軸部及び後軸部には光ファイバーが挿通されている。光ケーブルは、光ファイバーの外周を包囲するシースを有しており、このシースの端部にはカシメリングが外嵌されている。
【０００４】
コネクタハウジングにはばね押さえ部が形成されており、このばね押さえ部に対してコイルばねの後端が前方から当接している。また、コイルばねの前端はフェルールのフランジ部に後方から当接している。これにより、フェルールはコイルばねにより前方に付勢されて、フード部内の正規位置に保持されている。
【先行技術文献】
【特許文献】
【０００５】
【特許文献１】特開２０１２−８３４４２号公報
【発明の概要】
【発明が解決しようとする課題】
【０００６】
上記の構成においては、光ケーブルのシースの端部と、フェルールの後軸部の後端部との間の領域においては、光ファイバーが露出した状態になっている。このため、光ファイバーの先端に固定されたフェルールを、コネクタハウジングのフード部内に収容する工程においては、露出した状態になっている光ファイバーが破損することを抑制するために、光ファイバーに対して力が過度に加わらないように相当に注意しながら作業を行う必要がある。この結果、光コネクタの組み付け作業の効率が低下することが懸念される。
【０００７】
本発明は上記のような事情に基づいて完成されたものであって、光コネクタの製造効率を向上させることができる技術を提供することを目的とする。
【課題を解決するための手段】
【０００８】
本発明は、光コネクタの製造方法であって、光ファイバーの外周を包囲するシースを備えた光ケーブルの端部において前記シースの外周にカシメリングを圧着する圧着工程と、前記光ケーブルの前記端部から突出する前記光ファイバーの先端にフェルールを固定する固定工程と、前記フェルールと前記カシメリングとを係止部によって係止する係止工程と、前記フェルールが内部に配されるフード部を有すると共に開口部を有する第１コネクタハウジングの前記開口部の内部に、前記フェルールと前記カシメリングとが前記係止部によって係止された状態で前記フェルール及び前記カシメリングを組み付けて、前記フェルールを前記フード部内の仮位置に保持する組み付け工程と、前記フェルールと前記カシメリングとの間の係止を解除して前記フェルールを前記フード部内の正規位置に保持させる解除工程と、を実行する。
【０００９】
本発明によれば、フェルールとカシメリングとが係止部によって係止された状態で、フェルール、カシメリング及び光ケーブルを第１コネクタハウジングに組み付けることができるので、光ファイバーに過度の力が加わることを抑制できる。これにより、光ファイバーに過度の力が加わらないように配慮しながら作業しなくてもよいので、光コネクタの製造効率を向上させることができる。
【００１０】
本発明の実施態様としては以下の態様が好ましい。前記開口部を塞ぐ第２コネクタハウジングは、前記フェルールと前記カシメリングとの間の係止を解除する解除部を備え、前記第１コネクタハウジングに前記第２コネクタハウジングを組み付けて前記開口部を塞ぐ閉止工程を実行する際に、前記解除工程を実行することが好ましい。
【００１１】
上記の態様によれば、第１コネクタハウジングの開口部を塞ぐ閉止工程を実行することにより、フェルールとカシメリングとの係止を解除することができるので、閉止工程と解除工程とを別工程で行う場合に比べて、製造工程を少なくすることができる。この結果、光コネクタの製造効率を向上させることができる。
【００１２】
前記フェルールは、付勢部材によって前記仮位置から前記正規位置へ向かう方向に付勢されており、前記解除工程を実行すると、前記フェルールは前記付勢部材によって前記仮位置から前記正規位置に移動することが好ましい。
【００１３】
上記の態様によれば、係止が解除されたフェルールを正規位置に移動させる工程が不要になるので、光コネクタの製造効率を向上させることができる。
【００１４】
また、本発明は、フェルールとカシメリングとの係合構造であって、光ファイバーの外周を包囲するシースを備えた光ケーブルの端部から突出する前記光ファイバーの先端に固定されたフェルールと、前記シースの外周に圧着されたカシメリングと、前記フェルールと前記カシメリングとを係止する係止部と、を備える。
【００１５】
本発明によれば、フェルールとカシメリングとを係止することができるので、光ケーブルの端部とフェルールとの間において露出された光ファイバーに過剰な力が加わることを抑制できる。
【００１６】
本発明の実施態様としては以下の態様が好ましい。前記係止部は前記カシメリングから前記フェルールに延びて形成されており、前記係止部の前記フェルール側の端部には前記フェルールと係合する係合部が形成されており、前記フェルールには前記係合部に対応する位置に被係合部が形成されていることが好ましい。
【００１７】
上記の態様によれば、係止部がカシメリングと別部材である場合に比べて、部品点数を少なくすることができる。
【００１８】
また、本発明は、光コネクタであって、フェルールとカシメリングとの係止構造が収容された開口部を備えた第１コネクタハウジングと、前記第１コネクタハウジングに組み付けられて前記開口部を塞ぐ第２コネクタハウジングと、を備え、前記第２コネクタハウジングには、前記第１コネクタハウジングに組み付けた状態で前記フェルールと前記カシメリングとの間の係止を解除する解除部が形成されている。
【００１９】
本発明によれば、第２コネクタハウジングを第１コネクタハウジングに組み付けることによりフェルールとカシメリングとの間の係止を解除することができるので、閉止工程と解除工程とを別工程で行う場合に比べて、製造工程を少なくすることができる。この結果、光コネクタの製造効率を向上させることができる。
【００２０】
本発明の実施態様としては以下の態様が好ましい。前記第１コネクタハウジングには前記解除部によって前記フェルールと前記カシメリングとの係止が解除された状態の前記係止部が収容される退避部が形成されていることが好ましい。
【００２１】
上記の態様によれば、係止部は退避部に収容されるので、係止部が他の部品と干渉することを抑制することができる。
【発明の効果】
【００２２】
本発明によれば、光コネクタの製造効率を向上させることができる。
【図面の簡単な説明】
【００２３】
【図１】図１は本発明の実施形態１に係る光コネクタを示す側面図である。
【図２】図２は光コネクタを示す平面図である。
【図３】図３は光コネクタを示す断面図である。
【図４】図４はアッパーコネクタを示す底面図である。
【図５】図５はアッパーコネクタとロアコネクタとを示す側面図である。
【図６】図６はカシメリングとフェルールとを示す斜視図である。
【図７】図７はフェルールとカシメリングとの係合構造を示す平面図である。
【図８】図８はフェルールとカシメリングとの係合構造を示す側面図である。
【図９】図９はロアハウジングを示す平面図である。
【図１０】図１０はロアハウジングを示す正面図である。
【図１１】図１１は閉止工程が完了する前の状態を示す光コネクタの断面図である。
【図１２】図１２は光コネクタを示す分解斜視図である。
【発明を実施するための形態】
【００２４】
＜実施形態１＞
本発明の実施形態１について、図１ないし図１２を参照しつつ説明する。本実施形態に係る光コネクタ１０は、図示しない相手側コネクタが嵌合するフード部１１を備えた合成樹脂製のコネクタハウジング１２を備える。コネクタハウジング１２の内部には、光ファイバー１３の先端に固定されたフェルール１６が収容されるようになっている。以下の説明においては、図１における左方を前方とし、右方を後方とする。また、図１における上方を上方とし、下方を下方とする。また、図２における上方を右方とし、下方を左方とする。
【００２５】
（コネクタハウジング１２）
図１に示すように、コネクタハウジング１２は合成樹脂製であって、アッパーハウジング１７（第１コネクタハウジングに相当）と、このアッパーハウジング１７に下方から組み付けられるロアハウジング１８（第２コネクタハウジングに相当）と、を備える。アッパーハウジング１７の側壁の外面に形成されたロック部１９と、ロアハウジング１８の側壁に弾性変形可能に形成されたロック受け部２０とが、弾性的に係合することにより、アッパーハウジング１７とロアハウジング１８とが組み付けられている。
【００２６】
図２に示すように、コネクタハウジング１２の後端部からは、左右方向に並ぶ２つの光ケーブル１５，１５が、後方に導出されている。
【００２７】
図３に示すように、アッパーハウジング１７の前端部には、図示しない相手側コネクタが嵌合する２つのフード部１１，１１が、左右方向に並ぶと共に前方に開口して形成されている。
【００２８】
図４に示すように、フード部１１の後方には、下方に開口する開口部２１が形成されている。この開口部２１内には、図３に示すように、フェルール１６、コイルばね２２（付勢部材に相当）、光ファイバー１３、カシメリング２３、光ケーブル１５が収容されている。この開口部２１は、図５に示すように、アッパーハウジング１７に対して下方（矢線Ａで示す方向）から、ロアハウジング１８が組み付けられることにより塞がれるようになっている。
【００２９】
（フェルール１６）
図３に示すように、フード部１１の内部にはフェルール１６が配されている。詳細には、フード部１１の内部にはフェルール１６の前軸部２４が配されている。前軸部２４は円筒形状をなしている。
【００３０】
図６に示すように、前軸部２４の後方には後軸部２５が後方に延びて形成されている。後軸部２５の断面形状は多角形状をなしている。本実施形態では、正方形の角部が面取りされた六角形状をなしている。後軸部２５にはコイルばね２２が外嵌されるようになっている。後軸部２５の外形状は、コイルばね２２の内径よりも小さく設定されている。
【００３１】
前軸部２４と後軸部２５との境界部分には、前軸部２４及び後軸部２５径方向の外方に突出したフランジ部２６が形成されている。フランジ部２６の前面にはテーパ面２７が形成されており、フランジ部２６の後面には切り立ったばね受け面２８が形成されている。フランジ部２６の断面形状は略正方形状をなしている。フランジ部２６の外形状は、コイルばね２２の外径よりも大きく設定されている。フランジ部２６の側面には後述する係止部２９の係合部３０が係合する係合孔３１（被係合部に相当）が陥没して形成されている。
【００３２】
前軸部２４及び後軸部２５には前後方向に貫通する貫通孔３２が形成されている。この貫通孔３２内には光ファイバー１３が挿通されて固定されている。光ファイバー１３は、フェルール１６に対して、接着剤等の公知の手法により固定されている。なお、フェルール１６は、合成樹脂製であってもよく、また、ジルコニアなどのセラミックス製の前軸部２４及び後軸部２５に、金属製あるいは樹脂製のフランジ部２６を取り付けた構成としてもよい。
【００３３】
（光ケーブル１５）
光ケーブル１５は、光ファイバー１３の外周を包囲するシース１４を備える。シース１４は、ポリ塩化ビニル、ポリエチレン、ポリプロピレンなどの各種合成樹脂材料により形成されている。シース１４の先端部が剥ぎ取られることにより光ファイバー１３がシース１４の端部から突出して露出している。この光ファイバー１３の先端に上記したフェルール１６が外嵌されている。
【００３４】
（カシメリング２３）
シース１４の端部には金属製のカシメリング２３が、シース１４の外面に対して外側から圧着されている。カシメリング２３を構成する金属としては、アルミニウム、アルミニウム合金等、必要に応じて任意の金属を用いることができる。カシメリング２３は、比較的に外径の大きな径大部３３と、径大部３３よりも後方に形成されて、径大部３３よりも外径が小さな径小部３４と、を備える。径大部３３及び径小部３４は略円筒形状をなしている。径大部３３には、前方に延びる細長い板状をなす一対の係止部２９が形成されている。各係止部２９の先端には、内側に曲げられた係合部３０が形成されている。この係合部３０は、図６に示されたフェルール１６の係合孔３１の内部に進入して、係合孔３１の内面と係合するようになっている。
【００３５】
（係止構造３５）
図７及び図８に、フェルール１６とカシメリング２３との係止構造３５を示す。カシメリング２３から前方に延びる係止部２９の係合部３０が、フェルール１６のフランジ部２６に形成された係合孔３１の内部に進入して係合孔３１の内壁面と係合することにより、フェルール１６とカシメリング２３とが係止されるようになっている。これにより、フェルール１６とカシメリング２３とが相対的に移動することが抑制されるようになっている。詳細には、フェルール１６とカシメリング２３とが前後方向に離間又は接近するように移動することが抑制されると共に、フェルール１６とカシメリング２３とが前後方向と交差する方向に離間又は接近するように移動することが抑制されるようになっている。フェルール１６の後端部とシース１４の前端部との間で露出する光ファイバー１３の長さ寸法は、フェルール１６とカシメリング２３とが係止された状態において、露出した光ファイバー１３が撓むように設定されている。
【００３６】
（コネクタハウジング１２のフェルール１６保持構造）
図３に示すように、フード部１１の後壁には開口部２１と連通する連通孔３６が形成されている。この連通孔３６内にフェルール１６の前軸部２４が挿入されるようになっている。フード部１１の後壁の後面には、フェルール１６のフランジ部２６に形成されたテーパ面２７に倣って形成されたフランジ部受け部３７が形成されている。このフランジ部受け部３７に後方からフランジ部２６のテーパ面２７が当接することにより、フェルール１６がフード部１１内の正規位置に保持されるようになっている。
【００３７】
（コネクタハウジング１２のカシメリング２３保持構造）
図３に示すように、ロアハウジング１８の後端部寄りの位置には、カシメリング２３の径小部３４が収容される後側収容部３８と、この後側収容部３８の前方に形成されてカシメリング２３の径大部３３が収容される前側収容部３９と、が形成されている。後側収容部３８と前側収容部３９との間には段差４０が形成されており、この段差４０に、径大部３３が前方から当接することにより、カシメリング２３が後方へ抜け止めされるようになっている。
【００３８】
図９に示すように、ロアハウジング１８の底壁には、前側収容部３９に対応する位置にロア側窓部４１が底壁を貫通して形成されている。このロア側窓部４１の内部に径大部３３が嵌入するようになっている。
【００３９】
また、図４に示すように、アッパーハウジング１７の上壁には、アッパーハウジング１７にロアハウジング１８が組み付けられた状態において、ロアハウジング１８の前側収容部３９に対応する位置に、アッパー側窓部４２が上壁を貫通して形成されている。このアッパー側窓部４２の内部に径大部３３が嵌入するようになっている。
【００４０】
（コネクタハウジング１２のコイルばね２２保持構造）
図３に示すように、ロアハウジング１８にはコイルばね２２の後端部が前方から当接するばね押さえ部４３が、ロアハウジング１８の底壁から突出して形成されている。図９及び図１０に示すように、ばね押さえ部４３は、前方から見て略Ｕ字状に形成されている。ばね押さえ部４３の形状は、コイルばね２２の外形状よりも大きく形成されている。また、略Ｕ字状をなすばね押さえ部４３によって下方が囲まれると共に上方が開放された空間内には、光ファイバー１３が挿通されるようになっている。
【００４１】
コイルばね２２の後端部がばね押さえ部４３に前方から当接すると共に、コイルばね２２の前端部がフェルール１６のフランジ部２６に形成されたばね受け面２８に後方から当接することにより、コイルばね２２はフェルール１６を前方に付勢するようになっている。フェルール１６は、コイルばね２２に前方に付勢されることにより、フード部１１内の正規位置に保持されるようになっている。
【００４２】
（退避部４４）
図３に示すように、コネクタハウジング１２には、開口部２１の前端部寄りの位置であって、且つ、係止部２９の前端部に対応する位置に、係止部２９の前端部の左右両側方に陥没して、係止部２９の前端部に形成された係合部３０がコイルばね２２と干渉することを避ける退避部４４が形成されている。退避部４４の陥没寸法は、退避部４４の内部に係止部２９の前端部が退避した状態では、係合部３０がコイルばね２２と離間するように設定されている。
【００４３】
（仮位置）
図１１に示すように、フェルール１６とカシメリング２３とが係止部２９によって係止された状態では、フェルール１６とカシメリング２３との係止構造３５は、コネクタハウジング１２の開口部２１内において仮位置に保持される。仮位置においては、カシメリング２３の径小部３４は後側収容部３８に収容されている。また、カシメリング２３の径大部３３は、前側収容部３９に収容されると共に、ロア側窓部４１、及びアッパー側窓部４２内に嵌り込むようになっている。また、フェルール１６とカシメリング２３との係止構造３５が仮位置に保持された状態において、前軸部２４は、連通孔３６内に挿通されてフード部１１内に位置している。
【００４４】
係止部２９の、カシメリング２３の前端部から前方へ突出する寸法は、係合部３０がフェルール１６の係合孔３１に係合した状態において、フランジ部２６のテーパ面２７と、アッパーハウジング１７のフランジ部受け部３７とが前後方向に離間するように設定されている。
【００４５】
（解除部４５）
図１１に示すように、ロアハウジング１８のばね押さえ部４３には、ロアハウジング１８をアッパーハウジング１７に下方から組み付ける際に、係止部２９に対して下方から当接して係止部２９を拡開変形させることにより係合部３０と係合孔３１との係合を解除する解除部４５が形成されている。図１０に示すように、解除部４５は、ばね押さえ部４３の上端部において、角部が面取りされた傾斜面として形成されている。
【００４６】
図３に示すように、係止部２９が解除部４５の側面に当接した状態においては、一対の係止部２９は左右方向に拡開変形されるようになっている。これにより、係合部３０と係合孔３１との係合が解除されるようになっている。拡開変形された係止部２９は退避部４４内に収容されることにより、コイルばね２２との干渉が回避されるようになっている。
【００４７】
（光コネクタ１０の製造工程）
続いて、本実施形態に係る光コネクタ１０の製造工程に一例について説明する。なお、光コネクタ１０の製造工程は以下の説明に限定されない。
【００４８】
まず、光ケーブル１５の端部においてシース１４を剥がすことにより、光ファイバー１３を露出させる皮剥ぎ工程を実行する。
【００４９】
次に、皮剥ぎされたシース１４の端部にカシメリング２３を外嵌させ、図示しない一対の金型で挟み付けることにより、カシメリング２３をシース１４の外周に圧着する圧着工程を実行する。
【００５０】
続いて、シース１４の端部から突出した光ファイバー１３の先端をフェルール１６の貫通孔３２内に挿入する。フェルール１６の貫通孔３２内には予め接着剤（図示せず）を充填しておく。また、予め、後軸部２５にはコイルばね２２を外嵌させておく。次いで、接着剤を硬化させる。接着剤としては例えば熱硬化性樹脂を用いることができる。その後、フェルール１６の先端部分を研磨することにより、貫通孔３２からはみ出した接着剤を除去してもよい。このようにして、光ファイバー１３とフェルール１６とを固定する固定工程を実行する。なお、上記した圧着工程と固定工程の順序は変更されてもよい。
【００５１】
続いて、フェルール１６のフランジ部２６に形成された係合孔３１の内部に、カシメリング２３の係止部２９に形成された係合部３０を嵌入させる係止工程を実行する。これにより、フェルール１６とカシメリング２３とが係止されるので、フェルール１６とカシメリング２３とが相対的に移動することが抑制される。
【００５２】
続いて、図１２の矢線Ｂで示すように、アッパーハウジング１７の後方から、開口部２１内に、フェルール１６とカシメリング２３とが係止された状態の、フェルール１６、コイルばね２２、カシメリング２３、及び光ケーブル１５を挿入する。このとき、カシメリング２３の径大部３３をアッパー側窓部４２内に嵌入させる。また、フェルール１６の前軸部２４を、フード部１１の奥壁に形成された連通孔３６内に後方から挿入する。このようにして組み付け工程が実行される。
【００５３】
続いて、図１２の矢線Ｃで示すように、アッパーハウジング１７の下方からロアハウジング１８を組み付けて、アッパーハウジング１７の開口部２１を塞ぐ閉止工程を実行する。ロアハウジング１８をアッパーハウジング１７に組み付けると、アッパーハウジング１７のロック部１９と、ロアハウジング１８のロック受け部２０とが弾性的に係合することにより、アッパーハウジング１７とロアハウジング１８とが一体に組み付けられる。
【００５４】
上記の閉止工程において、図１１に示すように、解除部４５が係止部２９に下方から当接する。すると、係止部２９は、解除部４５によってばね押さえ部４３の側面へと案内されて、拡開変形する。これにより、係合部３０が係合孔３１から離脱する。フェルール１６はコイルばね２２によって前方に付勢されているので、係合部３０と係合孔３１との係合が解除されることにより、フェルール１６は前方に移動する。この結果、図３に示すように、フェルール１６はフード部１１内の正規位置に保持される。このようにして解除工程が実行される。
【００５５】
拡開変形された係止部２９は、図３に示すように退避部４４内に収容されることにより、係合部３０がコイルばね２２に干渉することが抑制されるようになっている。以上により、光コネクタ１０が完成する。
【００５６】
（本実施形態の作用、効果）
続いて、本実施形態の作用、効果について説明する。本実施形態に係る光コネクタ１０の製造方法は、光ファイバー１３の外周を包囲するシース１４を備えた光ケーブル１５の端部においてシース１４の外周にカシメリング２３を圧着する圧着工程と、光ケーブル１５の端部から突出する光ファイバー１３の先端にフェルール１６を固定する固定工程と、フェルール１６とカシメリング２３とを係止部２９によって係止する係止工程と、フェルール１６が内部に配されるフード部１１を有すると共に開口部２１を有するアッパーハウジング１７の開口部２１の内部に、フェルール１６とカシメリング２３とが係止部２９によって係止された状態でフェルール１６、カシメリング２３、及び光ケーブル１５を組み付けて、フェルール１６をフード部１１内の仮位置に保持する組み付け工程と、フェルール１６とカシメリング２３との間の係止を解除してフェルール１６をフード部１１内の正規位置に保持させる解除工程と、を実行するものである。
【００５７】
本実施形態によれば、フェルール１６とカシメリング２３とが係止部２９によって係止された状態で、フェルール１６、カシメリング２３及び光ケーブル１５をアッパーハウジング１７に組み付けることができるので、光ファイバー１３に過度の力が加わることを抑制できる。これにより、光ファイバー１３に過度の力が加わらないように配慮しながら作業しなくてもよいので、光コネクタ１０の製造効率を向上させることができる。
【００５８】
また、本実施形態に係る光コネクタ１０の製造方法においては、開口部２１を塞ぐロアハウジング１８は、フェルール１６とカシメリング２３との間の係止を解除する解除部４５を備え、アッパーハウジング１７にロアハウジング１８を組み付けて開口部２１を塞ぐ閉止工程を実行する際に、解除工程を実行するようになっている。
【００５９】
本実施形態によれば、アッパーハウジング１７の開口部２１を塞ぐ閉止工程を実行することにより、フェルール１６とカシメリング２３との係止を解除することができるので、閉止工程と解除工程とを別工程で行う場合に比べて、製造工程を少なくすることができる。この結果、光コネクタ１０の製造効率を向上させることができる。
【００６０】
また、本実施形態に係る光コネクタ１０の製造方法においては、フェルール１６は、コイルばね２２によって仮位置から正規位置へ向かう方向に付勢されており、解除工程を実行すると、フェルール１６はコイルばね２２によって仮位置から正規位置に移動するようになっている。
【００６１】
本実施形態によれば、係止が解除されたフェルール１６を正規位置に移動させる工程が不要になるので、光コネクタ１０の製造効率を向上させることができる。
【００６２】
また、本実施形態に係るフェルール１６とカシメリング２３との係止構造３５は、光ファイバー１３の外周を包囲するシース１４を備えた光ケーブル１５の端部から突出する光ファイバー１３の先端に固定されたフェルール１６と、シース１４の外周に圧着されたカシメリング２３と、フェルール１６とカシメリング２３とを係止する係止部２９と、を備える。
【００６３】
本実施形態によれば、フェルール１６とカシメリング２３とを係止することができるので、光ケーブル１５の端部とフェルール１６との間に露出された光ファイバー１３に過剰な力が加わることを抑制できる。
【００６４】
また、本実施形態に係るフェルール１６とカシメリング２３との係止構造３５では、係止部２９はカシメリング２３からフェルール１６に延びて形成されており、係止部２９のフェルール１６側の端部にはフェルール１６と係合する係合部３０が形成されており、フェルール１６には係合部３０に対応する位置に係合孔３１が形成されている。
【００６５】
本実施形態によれば、係止部２９がカシメリング２３と別部材である場合に比べて、部品点数を少なくすることができる。
【００６６】
また、本実施形態に係る光コネクタ１０は、フェルール１６とカシメリング２３との係止構造３５が収容された開口部２１を備えたアッパーハウジング１７と、アッパーハウジング１７に組み付けられて開口部２１を塞ぐロアハウジング１８と、を備え、ロアハウジング１８には、アッパーハウジング１７に組み付けた状態でフェルール１６とカシメリング２３との間の係止を解除する解除部４５が形成されている。
【００６７】
本実施形態によれば、第２コネクタハウジングを第１コネクタハウジングに組み付けることによりフェルール１６とカシメリング２３との間の係止を解除することができるので、閉止工程と解除工程とを別工程で行う場合に比べて、製造工程を少なくすることができる。この結果、光コネクタ１０の製造効率を向上させることができる。
【００６８】
また、本実施形態に係る光コネクタ１０においては、アッパーハウジング１７には解除部４５によってフェルール１６とカシメリング２３との係止が解除された状態の係止部２９が収容される退避部４４が形成されている。
【００６９】
本実施形態によれば、係止部２９は退避部４４に収容されるので、係止部２９が他の部品と干渉することを抑制することができる。
【００７０】
＜他の実施形態＞
本発明は上記記述及び図面によって説明した実施形態に限定されるものではなく、例えば次のような実施形態も本発明の技術的範囲に含まれる。
（１）本実施形態では、閉止工程を行う過程において解除工程を実行する構成としたが、これに限られず、解除工程を実行した後に閉止工程を実行してもよい。
【００７１】
（２）本実施形態では、係止部２９はカシメリング２３に一体に形成される構成としたが、これに限られず、係止部２９はカシメリング２３と別部品であって、カシメリング２３とフェルール１６の双方に係止する構成としてもよい。
【００７２】
（３）光コネクタ１０は、ロアハウジング１８と別部品に構成された解除部４５を有してもよい。
【符号の説明】
【００７３】
１０…光コネクタ
１１…フード部
１３…光ファイバー
１４…シース
１５…光ケーブル
１６…フェルール
１７…アッパーハウジング（第１コネクタハウジング）
１８…ロアハウジング（第２コネクタハウジング）
２１…開口部
２２…コイルばね（付勢部材）
２３…カシメリング
２９…係止部
３０…係合部
３１…係合孔（被係合部）
３５…係止構造
４４…退避部
４５…解除部
【図１】
2014056135.tif 000003
【図２】
2014056135.tif 000004
【図３】
2014056135.tif 000005
【図４】
2014056135.tif 000006
【図５】
2014056135.tif 000007
【図６】
2014056135.tif 000008
【図７】
2014056135.tif 000009
【図８】
2014056135.tif 000010
【図９】
2014056135.tif 000011
【図１０】
2014056135.tif 000012
【図１１】
2014056135.tif 000013
【図１２】
2014056135.tif 000014